(57)【要約】【課題】サイネージ装置を用いた商品購入に係る利便性を向上させる。【解決手段】販売対象の商品を表した第１商品画像を表示する商品表示装置と連携する情報処理装置であって、表示部と、購入する商品の商品情報を前記商品表示装置から受信する受信手段と、前記受信手段によって受信された前記商品情報を記憶する記憶手段と、前記記憶手段によって記憶された前記商品情報に対応する商品の第２商品画像を、当該商品情報の受信順に応じた順序で重ねて前記表示部に表示する画像表示手段と、を備える。【選択図】図７Ａ
2014102553.tif 000002
【特許請求の範囲】
【請求項１】
販売対象の商品を表した第１商品画像を表示する商品表示装置と連携する情報処理装置であって、
表示部と、
購入する商品の商品情報を前記商品表示装置から受信する受信手段と、
前記受信手段によって受信された前記商品情報を記憶する記憶手段と、
前記記憶手段によって記憶された前記商品情報に対応する商品の第２商品画像を、当該商品情報の受信順に応じた順序で重ねて前記表示部に表示する画像表示手段と、
を備えた情報処理装置。
【請求項２】
前記表示部に重ねて表示された前記商品画像を整列して表示させる整列表示手段を備えた請求項１に記載の情報処理装置。
【請求項３】
前記表示部に表示された前記商品画像のうち、特定の商品画像の消去指示を受け付ける受付手段と、
前記特定の商品画像を前記表示部から消去する画像消去手段と、
前記特定の商品画像に対応する商品情報を前記記憶手段から削除する削除手段と、
を備えた請求項１又は２に記載の情報処理装置。
【請求項４】
前記表示部は、表示面上にタッチパネルを有し、
前記受付手段は、前記表示部に表示された前記特定の商品画像に対する消去指示を、前記タッチパネルを介して受け付ける、
請求項３に記載の情報処理装置。
【請求項５】
商品表示装置と情報処理装置とを有する情報処理システムであって、
前記商品表示装置は、
販売対象の商品を表した第１商品画像を表示する第１表示部と、
前記第１表示部に表示された商品の指定を受け付ける指定手段と、
前記指定手段で指定された商品に関する商品情報を送信する送信手段と、
を備え、
前記情報処理装置は、
表示部と、
前記送信手段から送信された前記商品情報を受信する受信手段と、
前記受信手段によって受信された前記商品情報を記憶する記憶手段と、
前記記憶手段によって記憶された前記商品情報に対応する商品の第２商品画像を、当該商品情報の受信順に応じた順序で重ねて前記表示部に表示する画像表示手段と、
を備える情報処理システム。
【請求項６】
表示部を備え、販売対象の商品を表した第１商品画像を表示する商品表示装置と連携する情報処理装置として機能するコンピュータを、
購入する商品の商品情報を前記商品表示装置から受信する受信手段と、
前記受信手段によって受信された前記商品情報を記憶部に記憶する記憶手段と、
前記記憶部に記憶された前記商品情報に対応する商品の第２商品画像を、当該商品情報の受信順に応じた順序で重ねて前記表示部に表示する画像表示手段と、
して機能させるためのプログラム。
【発明の詳細な説明】
【技術分野】
【０００１】
本発明の実施の形態は、情報処理装置、情報処理システムおよびプログラムに関する。
【背景技術】
【０００２】
近年、デジタルサイネージ装置（以降「サイネージ装置」という）が普及している。係るサイネージ装置は、駅構内等の人通りが多い通路に設置され、商品の広告等のデジタルコンテンツを不特定者に提示する。また、近年では、大型のタッチパネルディスプレイに商品のイメージ画像を表示することでサイネージ装置として機能するとともに、当該商品の販売を行う次世代型の自動販売機も用いられている。係る自動販売機では、利用者は購入を希望する商品のイメージ画像を指定した後、ＩＣ（Integrated  Circuit）カード等を用いて決済することで、商品の引き渡しが行われるよう構成されている。
【発明の概要】
【発明が解決しようとする課題】
【０００３】
しかしながら、上記の自動販売機では、例えば複数の商品を指定して購入するような場合、指定した商品の順序を容易に確認することはできない。また、指定した商品が自動販売機上に明示されていると、この自動販売機周辺の第三者にその商品を見られてしまうため、利便性の上で問題があった。
【課題を解決するための手段】
【０００４】
実施の形態の情報処理装置は、販売対象の商品を表した第１商品画像を表示する商品表示装置と連携する情報処理装置であって、表示部と、購入する商品の商品情報を前記商品表示装置から受信する受信手段と、前記受信手段によって受信された前記商品情報を記憶する記憶手段と、前記記憶手段によって記憶された前記商品情報に対応する商品の第２商品画像を、当該商品情報の受信順に応じた順序で重ねて前記表示部に表示する画像表示手段と、を備える。
【０００５】
実施の形態の情報処理システムは、商品表示装置と情報処理装置とを有する情報処理システムであって、前記商品表示装置は、販売対象の商品を表した第１商品画像を表示する第１表示部と、前記第１表示部に表示された商品の指定を受け付ける指定手段と、前記指定手段で指定された商品に関する商品情報を送信する送信手段と、を備え、前記情報処理装置は、表示部と、前記送信手段から送信された前記商品情報を受信する受信手段と、前記受信手段によって受信された前記商品情報を記憶する記憶手段と、前記記憶手段によって記憶された前記商品情報に対応する商品の第２商品画像を、当該商品情報の受信順に応じた順序で重ねて前記表示部に表示する画像表示手段と、を備える。
【０００６】
実施の形態のプログラムは、表示部を備え、販売対象の商品を表した第１商品画像を表示する商品表示装置と連携する情報処理装置として機能するコンピュータを、購入する商品の商品情報を前記商品表示装置から受信する受信手段と、前記受信手段によって受信された前記商品情報を記憶部に記憶する記憶手段と、前記記憶部に記憶された前記商品情報に対応する商品の第２商品画像を、当該商品情報の受信順に応じた順序で重ねて前記表示部に表示する画像表示手段と、して機能させる。
【図面の簡単な説明】
【０００７】
【図１】図１は、本実施の形態のシステムを示す図である。
【図２】図２は、サイネージ装置の設置状態の一例を示す図である。
【図３】図３は、サイネージ装置のブロック図である。
【図４】図４は、携帯端末のブロック図である。
【図５】図５は、携帯端末の機能ブロック図である。
【図６】図６は、サイネージ装置のフローチャートである。
【図７Ａ】図７Ａは、携帯端末のフローチャートである。
【図７Ｂ】図７Ｂは、携帯端末のフローチャートである。
【図８Ａ】図８Ａは、サイネージ装置の表示画面の図である。
【図８Ｂ】図８Ｂは、携帯端末の表示画面の図である。
【図９Ａ】図９Ａは、サイネージ装置の他の表示画面の図である。
【図９Ｂ】図９Ｂは、携帯端末の他の表示画面の図である。
【図１０Ａ】図１０Ａは、携帯端末の他の表示画面の図である。
【図１０Ｂ】図１０Ｂは、携帯端末の他の表示画面の図である。
【図１１】図１１は、携帯端末の他の表示画面の図である。
【図１２】図１２は、携帯端末の他の表示画面の図である。
【発明を実施するための形態】
【０００８】
以下、添付図面を参照して、実施の形態に係る情報処理装置、情報処理システムおよびプログラムを詳細に説明する。なお、以下に説明する実施の形態によりこの発明が限定されるものではない。
【０００９】
図１は、サイネージ装置１、携帯型情報処理装置である携帯端末２、サーバ３の接続を示すシステム図である。
【００１０】
サイネージ装置１は、販売の対象となる各種商品を表した商品画像を表示する商品表示装置である。サイネージ装置１は、例えば、駅構内、人が多く行き来する通路、商品を展示するスペースが少ない店舗の店頭等に設置に設置される。
【００１１】
ここで、図２は、サイネージ装置１の設置状態の一例を示す図である。同図では、商品表示装置であるサイネージ装置１が地下鉄のホームに設置された例を示している。サイネージ装置１は、液晶等の表示部４７と表示部４７上に設けられたタッチパネル４６で構成されている。表示部４７は、販売する多数の商品を表示する。商品を購入する人Ｐが、表示部４７の表面に設けられたタッチパネル４６をタッチして、表示された商品から特定の商品を指定することで商品を購入できる。購入した商品は後日自宅等に配送される。サイネージ装置１は、地下鉄の電車のホーム以外に、人が多く行き来する通路や商品を展示するスペースが少ない店舗の店頭等に設置してもよい。
【００１２】
図１に戻り、携帯端末２は、タブレットＰＣ（Personal  Computer）やスマートフォン等である。携帯端末２は、表示部５７と、表示部５７上にタッチパネル５６を備えている。
【００１３】
サイネージ装置１で商品を購入しようとする人は、サイネージ装置１と携帯端末２とを近距離無線通信（Near  Field  Communication。以降「ＮＦＣ」という）で接続して使用する。利用者は、自己が携帯する携帯端末２を、サイネージ装置１の後述するネットワークＩ／Ｆ４９が埋め込まれた所定場所１２に近接あるいは軽く接触させる。これにより、サイネージ装置１と携帯端末２との間でＮＦＣによる通信回線１３が確立する。通信回線１３を確立するために、サイネージ装置１と携帯端末２とが、機器固有情報等をやり取りし、お互いの装置を確認する。通信回線１３が確立すると、サイネージ装置１と携帯端末２とで通信が可能となる。
【００１４】
また、サイネージ装置１は、有線または無線の通信回線１４により、店舗や本部に設置されている上位機器であるサーバ３と接続されている。したがって、サイネージ装置１の情報を通信回線１４を介してサーバ３に送信する。サーバ３は、受信したサイネージ装置１からの情報に基づいて商品の配送の処理を実行する。
【００１５】
このような状況で、１対１の通信可能となった後、サイネージ装置１から携帯端末２に、携帯端末２用のソフトウェアが送信され、携帯端末２はソフトウェアを受信する。携帯端末２では、該ソフトウェアを実行することで、後述する機能部の一部又は全てを実現し、サイネージ装置１との連携動作を開始する。具体的には、サイネージ装置１で商品が指定されると、携帯端末２の表示部５７は、その指定された商品の画像を表示する。人Ｐは、表示部５７の表示画像を見ながら購入する商品を確認し、その後に決済処理を行う。
【００１６】
次に、本実施の形態の電気的構成および制御処理について説明する。
【００１７】
図３は、商品表示装置であるサイネージ装置１の電気的構成を示すブロック図である。図３に示すように、サイネージ装置１は、制御主体となるＣＰＵ（Central  Processing  Unit）４１、各種プログラムを記憶するＲＯＭ（Read  Only  Memory）４２、ＣＰＵ４１のワークエリアとして機能するＲＡＭ（Random  Access  Memory）４３、各種プログラムを記憶するＨＤＤ等で構成されたメモリ部４４等を備える。ＣＰＵ４１、ＲＯＭ４２、ＲＡＭ４３、メモリ部４４は、互いにデータバス４５を介して接続されている。
【００１８】
ＣＰＵ４１、ＲＯＭ４２、ＲＡＭ４３及びメモリ部４４は、制御部１００を構成する。制御部１００は、ＣＰＵ４１がＲＯＭ４２やメモリ部４４に記憶されＲＡＭ４３に展開されたプログラムに従って動作することによって、後述する制御処理を実行する。
【００１９】
ＲＡＭ４３は、各種データも記憶する。メモリ部４４は、商品に関する商品情報と、その商品を表した商品画像を記憶している。制御部１００が、このメモリ部４４の商品情報と商品画像をＲＡＭ４３に展開して、商品情報や商品画像を表示する。ここで、商品情報は、商品を特定するための商品コード、商品名、商品価格、商品の属性等を含む。なお、同一商品についての商品情報及び商品画像は、例えば共通する商品コード等により関連付けが行われているものとする。
【００２０】
また、データバス４５は、商品表示部である表示部４７とタッチパネル４６をコントローラ４８を介して接続している。また、データバス４５は、送信部であるネットワークＩ／Ｆ（Interface）４９を接続しており、ネットワークＩ／Ｆ４９は外部の通信回線１３や通信回線１４と接続する。このネットワークＩ／Ｆ４９は、ＮＦＣによる通信回線１３を介して、携帯端末２に商品情報や商品の画像データを送信し、また携帯端末２から決済情報を受信する。また、ネットワークＩ／Ｆ４９は、インターネット等の通信回線１４を介してサーバ３に商品の購入情報をサイネージ装置１から送信する。この購入情報を受信したサーバは、受信した情報に基づいて購入された商品の配送に係る処理を実行する。
【００２１】
図４は、携帯型情報処理装置である携帯端末２の電気的構成を示すブロック図である。図４に示すように、形態端末２は、制御主体となるＣＰＵ５１、各種プログラムを記憶するＲＯＭ５２、ＣＰＵ５１のワークエリアとして機能するＲＡＭ５３、各種プログラムを記憶するフラッシュメモリ等で構成されたメモリ部５４等を備える。ＣＰＵ５１、ＲＯＭ５２、ＲＡＭ５３及びメモリ部５４は、互いにデータバス５５を介して接続されている。ＣＰＵ５１、ＲＯＭ５２、ＲＡＭ５３及びメモリ部５４は、制御部２００を構成する。制御部２００は、ＣＰＵ５１がＲＯＭ５２やメモリ部５４に記憶されＲＡＭ５３に展開されたプログラムに従って動作することによって、後述する制御処理を実行する。
【００２２】
また、データバス５５は、表示部５７とタッチパネル５６とがコントローラ５９を介して接続している。また、データバス５５は、入力部であるネットワークＩ／Ｆ６０を接続しており、ネットワークＩ／Ｆ６０は、通信回線１３によりサイネージ装置１と接続している。
【００２３】
本実施形態において、ＲＡＭ５３は、商品情報記憶部６１、商品画像記憶部６２及び購入情報記憶部６３として機能する。商品情報記憶部６１は、サイネージ装置１から送信された商品情報を記憶する。商品画像記憶部６２は、サイネージ装置１から送信された商品画像を記憶する。購入情報記憶部６３は、購入対象の商品を示した購入情報を記憶する。ここで、購入情報は、購入対象の商品の商品コード、商品名、商品価格、購入対象の商品の合計金額等を含む。
【００２４】
図５は、サイネージ装置１及び携帯端末２の機能ブロック図である。サイネージ装置１では、制御部１００がＲＯＭ４２やメモリ部４４に記憶された各種プログラムに従い動作することで、指定手段１０１及び送信手段１０２を実現する。また、携帯端末２では、制御部２００がＲＯＭ５２やメモリ部５４に記憶された各種プログラムに従い動作することで、受信手段２０１、記憶手段２０２、画像表示手段２０３、整列表示手段２０４、受付手段２０５、画像消去手段２０６及び削除手段２０７を実現する。
【００２５】
指定手段１０１は、サイネージ装置１において、商品表示部４７に表示された商品の指定を受け付ける。
【００２６】
送信手段１０２は、指定手段１０１で指定された商品の商品情報及び商品画像を、ネットワークＩ／Ｆ４９を介して携帯端末２に送信する。
【００２７】
受信手段２０１は、携帯端末２において、サイネージ装置１から商品の商品情報を受信する。
【００２８】
記憶手段２０２は、入力部６０を介して受信した商品情報をＲＡＭ５３に記憶する。詳細には、ネットワークＩ／Ｆ６０を介して受信した商品情報である商品情報及び商品画像の組のうち、商品情報を商品情報記憶部６１に記憶し、商品画像を商品画像記憶部６２に記憶する。
【００２９】
画像表示手段２０３は、記憶手段２０２によって記憶された商品情報に対応する商品の商品画像を、入力順（受信順）に応じた順序で重ねて表示部５７に表示する。具体的に、画像表示手段２０３は、後で入力された商品の商品画像ほど上側に位置するよう重ねて表示する。より詳細には、商品画像記憶部６２に記憶された商品画像の順に、表示部５７に重ねて表示する。なお、重畳方法は特に問わないものとするが、下側の商品画像の一部が見えるよう重ねることが好ましい。例えば、商品画像の重心位置をずらしながら重畳する方法を採用してもよい。
【００３０】
整列表示手段２０４は、表示部５７に表示された商品の画像を整列して表示させる機能を実行する。
【００３１】
受付手段２０５は、表示部５７に表示された商品画像のうち、特定の商品画像の消去指示を受け付ける機能を実行する。
【００３２】
画像消去手段２０６は、表示部５７に表示された特定の商品画像に対する消去指示を利用者から受け付けると、この商品画像を表示部５７内から消去する。
【００３３】
削除手段２０７は、表示部５７に表示された特定の商品画像に対する消去指示を利用者から受け付けると、この商品画像に対応する商品情報を商品情報記憶部６１から削除する。
【００３４】
次に、サイネージ装置１と携帯端末２の制御について説明する。
【００３５】
図６は、サイネージ装置１の処理を示すフローチャートである。図６において、制御部１００は、携帯端末２との通信が確立したかを判断する（ステップＳＰ１１）。通信が確立するまで待機する（ステップＳＰ１１のＮｏ）。通信が確立していないときは、制御部１００は、各種コマーシャルを表示部４７に表示している。通信が確立したと判断した場合は（ステップＳＰ１１のＹｅｓ）、携帯端末２に対して必要なソフトウェアを送信する。また、サイネージ装置１の表示部４７に販売する商品の画像を表示する（ステップＳＰ１２）。
【００３６】
表示部４７の表示例を図８Ａに示す。図８Ａの例は、「お肉」のタブを操作したときの表示をしている。別のタブをタッチすることで表示する商品のグループを「野菜」「調味料」「デイリー」等に変更する。また、図８Ｂに示すように、サイネージ装置１から送信されたソフトウェアを受信してインストールした携帯端末２の表示部５７は、カゴを表示しており、まだ商品の表示はなく空である。
【００３７】
次に制御部１００は、人Ｐが商品を購入する操作をしたかを判断する（ステップＳＰ１３）。商品を購入する操作は、人Ｐが、表示部４７に表示された商品のうちの一つの商品を指でタッチし、タッチした状態の指をタッチパネル上を下方に向けて一定距離以上スライドさせたことを検知したか否かで判断する。商品を購入する操作をしたと判断した場合は（ステップＳＰ１３のＹｅｓ）、制御部１００（指定手段）は、指定された商品を受け付けて、当該商品の画像を表示場所から下方に移動させ、表示部４７の外側に移動するように表示部４７から消す（ステップＳＰ１４）。
【００３８】
図９Ａは、指定した商品の画像が下方に移動する模様を示す図である。商品画像７１は、表示部４７の下端部７２付近から表示部４７の外側に向けて移動して、表示部４７から外れる。そして、所定時間後（例えば、３秒後等）、商品の画像が元の位置に再び表示される。
【００３９】
次に制御部１００（送信手段）は、当該商品の商品情報と画像情報をＲＡＭ４３から読み出してネットワークＩ／Ｆ４９から携帯端末２に送信する（ステップＳＰ１５）。そして制御部１００は、ステップＳＰ１４で移動させた商品の画像を基の位置に再度表示し（ステップＳＰ１６）、ステップＳＰ１３の処理に戻る。
【００４０】
制御部１００は、商品を購入する操作ではないと判断した場合は（ステップＳＰ１３のＮｏ）、制御部１００は、ネットワークＩ／Ｆ４９を介して携帯端末２から決済情報と取引情報を受信したかを判断する（ステップＳＰ２１）。受信したと判断した場合は（ステップＳＰ２１のＹｅｓ）、制御部１００は、当該携帯端末２での取引を有効な取引と判断する（ステップＳＰ２２）。そして制御部１００は、当該取引の決済による取引情報を通信回線１４を介してサーバ３に送信する（ステップＳＰ２３）。
【００４１】
なお、決済情報と取引情報の受信ではないと判断した場合は（ステップＳＰ２１のＮｏ）、制御部１００は処理を終了する。
【００４２】
図７Ａと図７Ｂは、サイネージ装置１から送信されたソフトウェアをインストール済みの携帯端末２の処理を示すフローチャートである。図７Ａにおいて、制御部２００は、ネットワークＩ／Ｆ６０に、商品情報と画像情報とを受信したか否かを判断する（ステップＳＰ３１）。この商品情報と画像情報は、サイネージ装置１からステップＳＰ１５で送信された情報である。
【００４３】
商品情報と画像情報とを受信したと判断した場合は（ステップＳＰ３１のＹｅｓ）、制御部２００（記憶手段）は、受信した商品情報をＲＡＭ５３の商品情報記憶部６１に記憶する（ステップＳＰ３２）。また画像情報を商品画像記憶部６２に記憶する（ステップＳＰ３２）。次に制御部２００（画像表示手段）は、商品画像記憶部６２に記憶した画像情報を表示部５７に表示する。図９Ｂは、携帯端末２に表示される商品画像を示したものである。図９Ｂにおいて、画像表示部７３、商品情報表示部７４、整列キー７５、重ね順キー７６、合計表示部７７、お買物完了キー７８が表示される。画像表示部７３は、商品画像記憶部６２に記憶した商品の画像を表示する。商品情報表示部７４は、商品情報記憶部６１に記憶した商品情報である、商品名称や商品価格を表示する。合計表示部７７は、商品情報記憶部６１に記憶した商品情報に基づく合計金額を表示する。
【００４４】
図９Ｂに示すように、制御部２００は、受信した商品画像を表示部５７の上方から中心付近に向けて移動させながら画像表示部７３に表示する。この表示は、サイネージ装置１の表示部４７から商品画像７１が消えたタイミングで表れて移動する。したがって、商品画像７１がサイネージ装置１の表示部４７から携帯端末２の表示部５７に移動するようなイメージとなる。なお、制御部２００は、表示部５７の画面サイズ（カゴのサイズ）に応じて、商品画像を拡大又は縮小するものとする。また、この際に、商品画像の大きさを、商品の実物の大きさに比例した大きさで表示することで、個々の商品の大きさの違いを感じることができるようにしてもよい。
【００４５】
この際、すでに表示している他の商品の画像があれば、制御部２００は、直近に受信した商品の画像を最上位位置に表示する（ステップＳＰ３３）。このような表示により、直近に表示した商品は画像のすべてが見え、直近より前に表示した商品の画像は、直近に表示した画像によって一部または全部が隠される。
【００４６】
次に制御部２００は、商品情報記憶部６１に記憶した商品情報を商品情報表示部７４に商品単位に区画してリスト表示する（ステップＳＰ３４）。ここで、商品情報に含まれた情報のうち、表示の対象は特に問わないものとする。例えば、商品情報に含まれた商品名及び商品価格を表示してもよい。また、この商品情報に対応する商品画像を縮小したサムネイル画像をあわせて表示する形態としてもよい。
【００４７】
続いて、制御部２００は、商品情報記憶部６１に記憶されている商品情報に含まれた商品価格の合計を算出し、合計金額として合計表示部７７に表示する（ステップＳＰ３５）。そして、合計金額と商品情報とを購入情報記憶部６３に記憶する（ステップＳＰ３６）。
【００４８】
図１０は、商品情報記憶部６１に記憶した商品情報と画像情報を、画像表示部７３と商品情報表示部７４に表示する様子を示した画像である。図１０Ａは、最初の画像として、パックされた肉の商品画像が画像表示部７３に表示され、同時にその商品情報が商品情報表示部７４に表示される。図１０Ｂは、複数の商品の画像を画像表示部７３に表示しており、同時に商品情報を商品情報表示部７４に表示している。図１０Ｂにおいて、烏龍茶の商品情報を直近に商品情報記憶部６１に記憶したため、制御部２００は、烏龍茶の画像を他の商品の画像上に重ねて、最も上位位置に表示している。
【００４９】
また、商品情報と画像情報とを受信していないと判断した場合は（ステップＳＰ３１のＮｏ）、制御部２００は、画像表示部７３に表示された商品画像から、特定の商品画像に対し取消操作がされたか否かを判断する（ステップＳＰ４１）。この判断は、例えば、商品画像を人Ｐが指でタッチし、続いてその商品画像を指で払い出す操作（取消操作）をしたか否かで判断する。なお、この場合、タッチパネル５６が指の操作を検知する。
【００５０】
例えば、画像表示部７３の最上位に位置している商品画像に対し、人Ｐが指でタッチし続いて払い出す操作（取消操作）をした場合、制御部２００は、この最上位の商品画像を取り消し対象と判断する。
【００５１】
取消操作がされたと判断した場合は（ステップＳＰ４１のＹｅｓ）、制御部２００（画像消去手段）は、取消操作がされた商品の商品画像を表示部５７内から消去する（ステップＳＰ４２）。また、制御部２００（画像消去手段）は、取消操作がされた商品についての商品情報表示部７４の表示も消去する（ステップＳＰ４２）。この際、取消操作がされた商品の商品画像に対し、表示部５７の外部に払い出す表示効果（アニメーション効果）を施す形態としてもよい。そして、制御部２００（削除手段）は、消取消操作がされた商品の商品情報と画像情報を商品情報記憶部６１から削除する（ステップＳＰ４３）。
【００５２】
また、最上位に表示された商品の取消操作がされていないと判断した場合は（ステップＳＰ４１のＮｏ）、制御部２００は、次に整列キー７５が操作されたかを判断する（ステップＳＰ５１）。整列キー７５が操作されると、制御部２００（整列表示手段）は、図１１に示すように、表示部５７に重ねて表示されている画像をそれぞれの画像を重ねることなく整列して表示する（ステップＳＰ５２）。
【００５３】
図１１は、画像を整列させて表示部５７に表示した図である。このように整列させることで、今まで購入したすべての商品を確認することができる。この表示の状態で、制御部２００は、購入の取消をしたい商品について前述と同様の取消操作をしたかを判断する（ステップＳＰ５３）。取消操作がされたと判断した場合は（ステップＳＰ５３のＹｅｓ）、制御部２００は、取消操作がされた商品の商品画像を消去・削除して、当該画像の商品の商品情報を商品情報記憶部６１から削除する（ステップＳＰ５４）。取消操作がされない場合は（ステップＳＰ５３のＮｏ）、制御部２００は、そのまま処理を終了する。
【００５４】
また、図７Ｂに示すように、整列キー７５が操作されていないと判断した場合は（ステップＳＰ５１のＮｏ）、制御部２００は、お買物完了キー７８が操作されたか否かを判断する（ステップＳＰ６１）。お買物完了キー７８は、買物を完了したときに操作する。お買物完了キー７８が操作されたことを判断すると（ステップＳＰ６１のＹｅｓ）、制御部２００は、図１２に示すように、購入した商品の商品名、価格等の商品情報と合計金額等を表示する（ステップＳＰ６２）。これらの情報は、購入情報記憶部６３から読み出す。加えて、購入した商品の配送日時を表示する。人Ｐは、表示された商品情報と配送日時を確認し、よければＯＫキー８１を操作する。配送日時を変更する場合は変更キー８２を操作する。
【００５５】
制御部２００は、ＯＫキー８１が操作されたか否かを判断する（ステップＳＰ６３）。操作されたと判断した場合は（ステップＳＰ６３のＹｅｓ）、制御部２００（決済手段）は、当該商品情報をネットワークＩ／Ｆ６０から通信回線１３を介してサイネージ装置１に送信する（ステップＳＰ６４）。そして、制御部２００は、商品情報記憶部６１、商品画像記憶部６２、購入情報記憶部６３に記憶されたそれぞれの情報を消去する（ステップＳＰ６５）。また表示部５７の表示も消去する（ステップＳＰ６５）。
【００５６】
ＯＫキー８１の操作でないと判断した場合は（ステップＳＰ６３のＮｏ）、制御部２００は、配送日を変更する変更キー８２が操作されたか否かを判断する（ステップＳＰ７１）。変更キー８２が操作されたと判断した場合は（ステップＳＰ７１のＹｅｓ）、制御部２００は、変更された配送日を再表示する（ステップＳＰ７２）。その後、ＯＫキー８１が操作されるのを待機する。なお、ＯＫキー８１か変更キー８２が操作されるまで待機する（ステップＳＰ６３のＮｏ、ステップＳＰ７１のＮｏ）。
【００５７】
また、お買物完了キー７８の操作でないと判断した場合は（ステップＳＰ６１のＮｏ）、制御部２００は、重ね順キー７６が操作されたか否かを判断する（ステップＳＰ８１）。重ね順キー７６が操作されたことを判断した場合は（ステップＳＰ８１のＹｅｓ）、制御部２００は、表示部５７の画像を図１０Ｂのように重ねて表示する（ステップＳＰ８２）。その後に処理を終了する。重ね順キー７６が操作されていないと判断した場合は（ステップＳＰ８１のＮｏ）、制御部２００はそのまま処理を終了する。
【００５８】
以上のように、本実施の形態によれば、携帯端末２の表示部５７に表示された商品の順番、すなわち商品画像間の重畳関係により、商品を購入した順番を容易に確認することができる。また、サイネージ装置１の表示部４７に、購入した商品を表示しないため、廻りに購入商品を知られることがないため、利便性がよい。
【００５９】
また、本実施の形態では、携帯端末２に表示された商品画像を操作することで、商品の取り消しを指示することができるため、例えば、直前に購入操作をした商品の取り消し処理が簡単な操作で実行できる。
【００６０】
また、本実施の形態では、購入した商品を整列して表示するため、購入した全商品の確認を容易に行うことができる。
【００６１】
また、本実施の形態では、決済した商品情報を商品表示装置を介して上位機器に送信するため、決済情報が早期に上位機器に送信でき、早期の配送処理が実行できる。
【００６２】
なお、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【００６３】
例えば、本実施の形態では、サイネージ装置１と携帯端末２とをＮＦＣの技術を使用して通信したが、Ｂｌｕｅｔｏｏｔｈ（登録商標）等の他の通信技術を使用してもよい。
【００６４】
また、表示部５７に重畳表示された商品画像のレイアウトや上下の関係を、ユーザーが変更可能な形態としてもよい。例えば、画像表示部７３に表示された商品画像に対しドラッグ操作が行われた場合、その商品画像の表示位置をドラッグ先に変更してもよい。また、下位に表示された商品画像に対しタッチ操作が行われた場合、その商品画像を一時的又は恒久的に最上位に表示してもよい。なお、商品情報表示部７４に表示された商品情報についても、画像表示部７３の重畳関係に応じて配置順序を変更することが好ましい。
【００６５】
また、本実施の形態では、携帯端末２側で決済を行う形態としたが、これに限らず、サイネージ装置１側で行う形態としてもよい。具体的には、サイネージ装置１が決済手段を備え、決済時に携帯端末２から購入情報を取得することで、サイネージ装置１側で決済を行う。なお、代金の支払いは、携帯端末２や図示しないＩＣカード等から取得した決済用の情報に基づき行う形態としてもよいし、現金取引であってもよい。
【００６６】
また、本実施の形態では、携帯端末２の機能部を実現するためのプログラム（ソフトウェア）を、通信確立時にサイネージ装置１から提供する形態としたが、これに限らないものとする。例えば、携帯端末２のＲＯＭ５２やメモリ部５４にソフトウェア予め記憶しておく形態としてもよい。また、該ソフトウェア内に、サイネージ装置１で表示される各商品の商品コードと、商品画像と、商品情報とを関連付けたデータテーブルを含めてもよい。なお、この形態を採用する場合、サイネージ装置１からは選択された商品の商品コードを携帯端末２に通知すればよい。
【００６７】
また、本実施の形態では、表示部４７に表示された商品のうちの一つの商品を指でタッチし、タッチした状態の指をタッチパネル上を下方に向けて一定距離以上スライドさせて表示部４７から消去したが、商品をタッチするだけで消去させるようにしてもよい。
【００６８】
本実施の形態の情報処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６９】
また、本実施の形態の情報処理装置で実行されるプログラムを、インターネット等のネットワークに接続されたコンピュータ上に格納し、ネットワーク経由でダウンロードさせることにより提供するように構成してもよい。また、本実施の形態の情報処理装置で実行されるプログラムをインターネット等のネットワーク経由で提供または配布するように構成してもよい。
【００７０】
また、本実施の形態の情報処理装置で実行されるプログラムを、ＲＯＭ等に予め組み込んで提供するように構成してもよい。
【符号の説明】
【００７１】
１００  制御部
１０１  指定手段
１０２  送信手段
２００  制御部
２０１  受信手段
２０２記憶手段
２０３  画像表示手段
２０４  整列表示手段
２０５  受付手段
２０６  画像消去手段
２０７  削除手段
【先行技術文献】
【特許文献】
【００７２】
【特許文献１】特開２０１０−１７６６４８号公報
【図１】
2014102553.tif 000003
【図２】
2014102553.tif 000004
【図３】
2014102553.tif 000005
【図４】
2014102553.tif 000006
【図５】
2014102553.tif 000007
【図６】
2014102553.tif 000008
【図７Ａ】
2014102553.tif 000009
【図７Ｂ】
2014102553.tif 000010
【図８Ａ】
2014102553.tif 000011
【図８Ｂ】
2014102553.tif 000012
【図９Ａ】
2014102553.tif 000013
【図９Ｂ】
2014102553.tif 000014
【図１０Ａ】
2014102553.tif 000015
【図１０Ｂ】
2014102553.tif 000016
【図１１】
2014102553.tif 000017
【図１２】
2014102553.tif 000018